(57)【特許請求の範囲】
【請求項１】
バックライト光源として機能する複数組のＬＥＤと、該ＬＥＤの点灯を各組毎に切替えるＬＥＤ点灯切替手段とを有するＬＣＤバックライト表示装置において、前記ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵとを有し、該ＣＰＵは、前記Ａ／Ｄ変換回路からの出力データに基づいて前記ＬＥＤの輝度の低下を判断した場合に、前記ＬＥＤ点灯切替手段により前記ＬＥＤの点灯を切替える制御を行うことを特徴とするＬＣＤバックライト表示装置。
【請求項２】
バックライト光源として機能する複数組のＬＥＤと、該ＬＥＤの点灯を各組毎に切替えるＬＥＤ点灯切替手段とを有するＬＣＤバックライト表示装置において、前記ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵとを有し、該ＣＰＵは、前記積算点灯時間が前記切替時間に到達したことを判断した場合に、前記ＬＥＤ点灯切替手段により前記ＬＥＤの点灯を切替える制御を行うことを特徴とするＬＣＤバックライト表示装置。
【請求項３】
バックライト光源として機能する複数組のＬＥＤと、該ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵと、前記ＬＥＤの点灯信号のパルスを変調する点灯信号パルス変調制御手段とを有し、前記ＣＰＵは、前記Ａ／Ｄ変換回路からの出力データに基づいて前記ＬＥＤの輝度の低下を判断した場合に、該点灯信号パルス変調制御手段により前記ＬＥＤの点灯Ｄｕｔｙを変化させ、前記ＬＥＤの輝度を調節する制御を行うことを特徴とするＬＣＤバックライト表示装置。
【請求項４】
バックライト光源として機能する複数組のＬＥＤと、該ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵと、前記ＬＥＤの点灯信号のパルスを変調する点灯信号パルス変調手段とを有し、前記ＣＰＵは、前記積算点灯時間が前記切替時間に到達したことを判断した場合に、前記ＬＥＤの点灯Ｄｕｔｙを変化させ、前記ＬＥＤの輝度を調節する制御を行うことを特徴とするＬＣＤバックライト表示装置。
【請求項５】
バックライト光源として機能する複数組のＬＥＤと、該ＬＥＤの点灯を各組毎に切替えるＬＥＤ点灯切替手段とを有するＬＣＤバックライト表示装置において、前記ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵと、前記ＬＥＤの点灯信号パルスを変調する点灯信号パルス変調制御手段とを有し、前記ＣＰＵは、前記Ａ／Ｄ変換回路からの出力データに基づいて前記ＬＥＤの輝度の低下を判断した場合に、前記ＬＥＤ点灯切替手段または前記点灯信号パルス変調制御手段のいずれかを機能させ、前記点灯信号による前記ＬＥＤの点灯の切換えまたは前記点灯信号パルス変調制御手段による前記ＬＥＤの点灯Ｄｕｔｙの変化を行うように制御することを特徴とするＬＣＤバックライト表示装置。
【請求項６】
バックライト光源として機能する複数組のＬＥＤと、該ＬＥＤの点灯を各組毎に切替えるＬＥＤ点灯切替手段とを有するＬＣＤバックライト表示装置において、前記ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵと、前記ＬＥＤの点灯信号パルスを変調する点灯信号パルス変調制御手段とを有し、前記ＣＰＵは、前記積算点灯時間が前記切替時間に到達したことを判断した場合に、前記ＬＥＤ点灯切替手段または前記点灯信号パルス変調制御手段のいずれかを機能させ、前記点灯信号による前記ＬＥＤの点灯の切換えまたは前記点灯信号パルス変調制御手段による前記ＬＥＤの点灯Ｄｕｔｙの変化を行うように制御することを特徴とするＬＣＤバックライト表示装置。
【請求項７】
請求項５または６記載のＬＣＤバックライト表示装置において、前記ＬＥＤの輝度の変化にリンクさせてＬＣＤコントラストを調整するＬＣＤコントラスト調整回路とを有することを特徴とするＬＣＤバックライト表示装置。
【発明の詳細な説明】
【０００１】
【発明の属する技術分野】
本発明は、ＬＣＤバックライト表示装置、より具体的には、ＬＥＤによるバックライトを採用し、ＬＣＤ表示機能を有するＬＣＤバックライト表示装置に関する。
【０００２】
【従来の技術】
従来、ＬＣＤパネルと、これを照明するバックライトとしてのＬＥＤとを具備するＬＣＤバックライト表示装置において、ＬＥＤの劣化による発光効率の低下という問題に対しては、劣化によって表示が見にくくなってもユーザは装置の製品寿命までがまんするしかなかった。
【０００３】
【発明が解決しようとする課題】
本発明は、上述のごとき実情に鑑みてなされもので、ＬＥＤの使用による劣化が生じてもＬＣＤの表示が見にくくなることを防止し、さらにはＬＣＤの表示が見やすくなるように改善することを目的とするものである。
【０００４】
【課題を解決するための手段】
請求項１の発明は、バックライト光源として機能する複数組のＬＥＤと、該ＬＥＤの点灯を各組毎に切替えるＬＥＤ点灯切替手段とを有するＬＣＤバックライト表示装置において、前記ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵとを有し、該ＣＰＵは、前記Ａ／Ｄ変換回路からの出力データに基づいて前記ＬＥＤの輝度の低下を判断した場合に、前記ＬＥＤ点灯切替手段により前記ＬＥＤの点灯を切替える制御を行うことを特徴としたものである。
【０００５】
請求項２の発明は、バックライト光源として機能する複数組のＬＥＤと、該ＬＥＤの点灯を各組毎に切替えるＬＥＤ点灯切替手段とを有するＬＣＤバックライト表示装置において、前記ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵとを有し、該ＣＰＵは、前記積算点灯時間が前記切替時間に到達したことを判断した場合に、前記ＬＥＤ点灯切替手段により前記ＬＥＤの点灯を切替える制御を行うことを特徴としたものである。
【０００６】
請求項３の発明は、バックライト光源として機能する複数組のＬＥＤと、該ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵと、前記ＬＥＤの点灯信号のパルスを変調する点灯信号パルス変調制御手段とを有し、前記ＣＰＵは、前記Ａ／Ｄ変換回路からの出力データに基づいて前記ＬＥＤの輝度の低下を判断した場合に、該点灯信号パルス変調制御手段により前記ＬＥＤの点灯Ｄｕｔｙを変化させ、前記ＬＥＤの輝度を調節する制御を行うことを特徴としたものである。
【０００７】
請求項４の発明は、バックライト光源として機能する複数組のＬＥＤと、該ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵと、前記ＬＥＤの点灯信号のパルスを変調する点灯信号パルス変調手段とを有し、前記ＣＰＵは、前記積算点灯時間が前記切替時間に到達したことを判断した場合に、前記ＬＥＤの点灯Ｄｕｔｙを変化させ、前記ＬＥＤの輝度を調節する制御を行うことを特徴としたものである。
【０００８】
請求項５の発明は、バックライト光源として機能する複数組のＬＥＤと、該ＬＥＤの点灯を各組毎に切替えるＬＥＤ点灯切替手段とを有するＬＣＤバックライト表示装置において、前記ＬＥＤの輝度を測定するための受光素子と、該受光素子からの出力データをＡ／Ｄ変換するＡ／Ｄ変換回路と、該Ａ／Ｄ変換回路からの出力データを入力するＣＰＵと、前記ＬＥＤの点灯信号パルスを変調する点灯信号パルス変調制御手段とを有し、前記ＣＰＵは、前記Ａ／Ｄ変換回路からの出力データに基づいて前記ＬＥＤの輝度の低下を判断した場合に、前記ＬＥＤ点灯切替手段または前記点灯信号パルス変調制御手段のいずれかを機能させ、前記点灯信号による前記ＬＥＤの点灯の切替えまたは前記点灯信号パルス変調制御手段による前記ＬＥＤの点灯Ｄｕｔｙの変化を行うように制御することを特徴としたものである。
【０００９】
請求項６の発明は、バックライト光源として機能する複数組のＬＥＤと、該ＬＥＤの点灯を各組毎に切替えるＬＥＤ点灯切替手段とを有するＬＣＤバックライト表示装置において、前記ＬＥＤの積算点灯時間を計測するタイマと、該タイマにより計測された積算点灯時間及び前記ＬＥＤの切替えを判断するために予め設定される切替時間をデータとして記憶するメモリと、ＣＰＵと、前記ＬＥＤの点灯信号パルスを変調する点灯信号パルス変調制御手段とを有し、前記ＣＰＵは、前記積算点灯時間が前記切替時間に到達したことを判断した場合に、前記ＬＥＤ点灯切替手段または前記点灯信号パルス変調制御手段のいずれかを機能させ、前記点灯信号による前記ＬＥＤの点灯の切替えまたは前記点灯信号パルス変調制御手段による前記ＬＥＤの点灯Ｄｕｔｙの変化を行うように制御することを特徴したものである。
【００１０】
請求項７の発明は、請求項５または６記載のＬＣＤバックライト表示装置において、前記ＬＥＤの輝度の変化にリンクさせてＬＣＤコントラストを調整するＬＣＤコントラスト調整回路とを有することを特徴したものである。
【００１１】
【発明の実施の形態】
以下に、本発明によるＬＣＤバックライト装置の実施例を添付された図面を参照して具体的に説明する。なお、実施例を説明するための全図において、同様の機能を有する部分には同一の符号を付け、その繰り返しの説明は省略する。
【００１２】
図１は、本発明によるＬＣＤバックライト装置の一実施例を説明するためのブロック図で、図中、１はＬＣＤパネル、２ａ，２ｂ，２ｃ，２ｄ，２ｅ，２ｆはＬＣＤパネル１を照明するバックライト、３はＬＥＤ点灯切替装置である。バックライトとしては、ここではＬＥＤを想定しているが、寿命のある光源であれば本発明の構成を用いることにより劣化による発光効率の低下に対処できる。本実施例のＬＣＤバックライト装置では、まず１組目のバックライト２ａ，２ｂを点灯して使用し、その後、２組目のバックライト２ｃ，２ｄを点灯し、その後、３組目のバックライト２ｅ，２ｆを点灯して使用する。
【００１３】
（請求項１に対応する実施例）
図２は、本発明によるＬＣＤバックライト装置の他の実施例を説明するためのブロック図で、図中、４は受光素子、５はＡ／Ｄ変換回路、６はＣＰＵである。受光素子４は、光源（バックライト）の劣化を検知するセンサとして機能する。受光素子４の出力はＡ／Ｄ変換回路５によってデジタル信号に変換され、これをＣＰＵ６により判断し、ＬＥＤ点灯切替装置３を制御する。ＬＥＤ点灯切替装置３は、バックライト２ａ〜２ｆの点灯を組毎に切替える。
【００１４】
（請求項２に対応する実施例）
図３は、本発明によるＬＣＤバックライト装置の更に他の実施例を説明するためのブロック図で、図中、７はタイマ、８はメモリである。メモリ８には予めバックライトの劣化予測データとして切替時間データが保持されており、タイマ（ハード／ソフト問わず）７により点灯時間を計測し、これらのデータに基づいてＣＰＵ６が寿命を判断し、ＬＥＤ点灯切替装置３を制御する。
【００１５】
（請求項３に対応する実施例）
図４は、本発明によるＬＣＤバックライト装置の更に他の実施例を説明するためのブロック図で、図中、９はＬＥＤの点灯信号パルス変調手段として機能するＬＥＤ・ＰＷＭ制御装置である。受光素子４の出力をＡ／Ｄ変換回路５によってデジタル信号に変換し、これをＣＰＵ６で判断してＬＥＤ・ＰＷＭ制御装置９で制御する。例えば、１／４ｄｕｔｙで点灯していたＬＥＤの劣化を検知した場合に、１／３ｄｕｔｙで点灯し、更にその後は、１／２ｄｕｔｙで点灯するという具合に、輝度を次第にアップしていく制御を行うことによりユーザが見やすい状態を維持することができる。
【００１６】
（請求項４に対応する実施例）
図５は、本発明によるＬＣＤバックライト装置の更に他の実施例を説明するためのブロック図である。予めバックライトＬＥＤの劣化予測データ（切替時間データ）を保持したメモリ８と、タイマ（ハード／ソフト問わず）７のデータに基づいてＣＰＵ６がバックライトの寿命を判断し、請求項３に対応する実施例と同様に、ＬＥＤ・ＰＷＭ制御装置９によりＬＥＤの輝度を制御する。
【００１７】
（請求項５に対応する実施例）
図６は、本発明によるＬＣＤバックライト装置の更に他の実施例を説明するためのブロック図である。本実施例は、請求項１に対応する実施例と請求項３に対応する実施例の両方の機能を効果的に実行するようにしたものである。例えば、ＬＥＤの輝度が落ちてきたらＰＷＭのｄｕｔｙをアップし、それでも充分でなければ、点灯するＬＥＤを切替える制御を行う。
【００１８】
（請求項６に対応する実施例）
図７は、本発明によるＬＣＤバックライト装置の更に他の実施例を説明するためのブロック図である。本実施例は、請求項５に対応する実施例の寿命データの判断を、予めバックライトＬＥＤの劣化予測データ（切替時間データ）を保持したメモリ８とタイマ（ハード／ソフト問わず）７のデータに基づいてＣＰＵ６が行うものである。
【００１９】
図８は、本発明によるＬＣＤバックライト装置の更に他の実施例を説明するためのブロック図で、図中、１０はＬＣＤコントラスト調整回路、１１は上述した実施例におけるＬＥＤ点灯切替装置３とＬＥＤ・ＰＷＭ制御装置９の機能を有するＬＥＤ輝度調整装置である。本参考例は、ＬＣＤコントラスト調整を行うＬＣＤコントラスト調整回路１０を具備する。ＬＣＤの見やすさはＬＣＤバックライトの輝度と関連性があるため、バックライトの輝度が落ちてきたら、適正な見やすいＬＣＤコントラストに調整する。図８において、ＣＰＵ６は点線で描かれているが、これは、ＣＰＵを含むソフトにより自動的に制御してもよいし、マニュアルでも良いことを示すものである。また、ＣＰＵ６を介在しない純粋なハードのみにより構成しても良い。
【００２０】
（請求項７に対応する実施例）
図９は、本発明によるＬＣＤバックライト装置の更に他の実施例を説明するためのブロック図である。本実施例は、図８に示す実施例における寿命データを受光素子４とＡ／Ｄ変換回路５により得るものである。
【００２１】
図１０は、本発明によるＬＣＤバックライト装置の更に他の実施例を説明するためのブロック図である。本実施例は、図８に示す実施例における寿命データをタイマ７とメモリ８により得るものである。
【００２２】
【発明の効果】
請求項１の発明は、複数組のＬＥＤにおける点灯ＬＥＤを組毎に切替えるＬＥＤ点灯切替手段と、ＬＥＤ点灯切替手段による点灯ＬＥＤの切替えを判断するための受光素子を具備しているため、バックライトの実際の明るさに応じて切替えを行うことができ、ユーザにとってより現実的な明るさの対応が可能となる。
【００２３】
請求項２の発明は、タイマとメモリを具備し、バックライトの寿命を推測してＬＥＤ点灯切替手段による点灯ＬＥＤの切替えを判断するため、単純な機構によりユーザにとって見やすい明るさを維持することができる。
【００２４】
請求項３の発明は、ＬＥＤの点灯信号のパルスを変調する点灯信号パルス変調制御手段を具備しているため、ＬＥＤ寿命により輝度が低下してもＰＷＭのｄｕｔｙをアップすることにより、引き続きＬＥＤを使用することができるようになり、より経済的である。また、点灯信号パルス変調制御手段による点灯ＬＥＤのＤｕｔｙの変化を判断するための受光素子を具備しているため、バックライトの実際の明るさに応じて調整を行うことができ、ユーザにとってより現実的な明るさの対応が可能となる。
【００２５】
請求項４の発明は、ＬＥＤの点灯信号のパルスを変調する点灯信号パルス変調制御手段を具備しているため、ＬＥＤ寿命により輝度が低下してもＰＷＭのｄｕｔｙをアップすることにより、引き続きＬＥＤを使用することができるようになり、より経済的である。また、タイマとメモリを具備し、バックライトの寿命を推測して点灯信号パルス変調制御手段による点灯ＬＥＤのＤｕｔｙの変化を判断するため、単純な機構によりユーザにとって見やすい明るさを維持することができる。
【００２６】
請求項５の発明は、点灯信号パルス変調制御手段及びＬＥＤ点灯切替手段を具備しているため、両手段の両方の機能を取り入れることにより経済的かつ効果的なバックライトの切替を行うことができる。また、バックライト切替手段による点灯ＬＥＤの切替え及び点灯信号パルス変調制御手段による点灯ＬＥＤのＤｕｔｙの変化を判断するための受光素子を具備しているため、バックライトの実際の明るさに応じて切替え及び調節を行うことができ、ユーザにとってより現実的な明るさの対応が可能となる。
【００２７】
請求項６の発明は、点灯信号パルス変調制御手段及びＬＥＤ点灯切替手段を具備しているため、両手段の両方の機能を取り入れることにより経済的かつ効果的なバックライトの切替え及び調節を行うことができる。また、タイマとメモリを具備し、バックライトの寿命を推測してＬＥＤ点灯切替手段による点灯ＬＥＤの切替え及び点灯信号パルス変調制御手段による点灯ＬＥＤのＤｕｔｙの変化を判断するため、単純な機構によりユーザにとって見やすい明るさを維持することができる。
【００２８】
請求項７の発明は、ＬＣＤコントラスト調整回路を具備しているため、バックライトの輝度に応じてＬＣＤのコントラストを調整することができ、ユーザにとってより見やすい表示を得ることができる。また、点灯信号パルス変調制御手段及びＬＥＤ点灯切替手段を具備しているため、両手段の両方の機能を取り入れることにより経済的かつ効果的なバックライトの切替え及び調節を行うことができる。また、ＬＥＤ点灯切替手段による点灯ＬＥＤの切替え及び点灯信号パルス変調制御手段による点灯ＬＥＤのＤｕｔｙの変化を判断するための受光素子もしくはタイマとメモリを具備しているため、バックライトの実際の明るさに応じて切替え及び調節を行うことができ、ユーザにとってより現実的な明るさの対応が可能となる。
【図面の簡単な説明】
【図１】 本発明によるＬＣＤバックライト装置の一実施例を説明するためのブロック図である。
【図２】 本発明によるＬＣＤバックライト装置の他の実施例を説明するためのブロック図である。
【図３】 本発明によるＬＣＤバックライト装置の更に他の実施例を説明するためのブロック図である。
【図４】 本発明によるＬＣＤバックライト装置の更に他の実施例を説明するためのブロック図である。
【図５】 本発明によるＬＣＤバックライト装置の更に他の実施例を説明するためのブロック図である。
【図６】 本発明によるＬＣＤバックライト装置の更に他の実施例を説明するためのブロック図である。
【図７】 本発明によるＬＣＤバックライト装置の更に他の実施例を説明するためのブロック図である。
【図８】 本発明によるＬＣＤバックライト装置の実施例を説明するためのブロック図である。
【図９】 本発明によるＬＣＤバックライト装置の更に他の実施例を説明するためのブロック図である。
【図１０】 本発明によるＬＣＤバックライト装置の更に他の実施例を説明するためのブロック図である。
【符号の説明】
１…ＬＣＤパネル、
２ａ，２ｂ，２ｃ，２ｄ，２ｅ，２ｆ…バックライト、
３…ＬＥＤ点灯切替装置、
４…受光素子、
５…Ａ／Ｄ変換回路、
６…ＣＰＵ、
７…タイマ、
８…メモリ、
９…ＬＥＤ・ＰＷＭ制御装置、
１０…ＬＣＤコントラスト調整回路、
１１…ＬＥＤ輝度調整装置。
【図１】
0003998842.tif 000002
【図２】
0003998842.tif 000003
【図３】
0003998842.tif 000004
【図４】
0003998842.tif 000005
【図５】
0003998842.tif 000006
【図６】
0003998842.tif 000007
【図７】
0003998842.tif 000008
【図８】
0003998842.tif 000009
【図９】
0003998842.tif 000010
【図１０】
0003998842.tif 000011